(57)【要約】【課題】  電池セパレータ用微多孔フィルム捲回物においてセパレータ材の表面に凹凸を生じない表示手段の提供。【解決手段】  電池セパレータ用微多孔フィルム（３）に光学特性の異なる表示部（１８）を有することを特徴とする、電池セパレータ用微多孔フィルム捲回物（１）。電池セパレータ用微多孔フィルム（３）に電池セパレータ用微多孔フィルムと遮光性または光反射性が異なる表示部（１８）を設けることを特徴とする、電池セパレータ用微多孔フィルム捲回物（１）の製造方法。【選択図】  図９
2016029615.tif 000002
【特許請求の範囲】
【請求項１】
電池セパレータ用微多孔フィルムにおいて、該電池セパレータ用微多孔フィルムと光学特性の異なる表示部を有することを特徴とする、電池セパレータ用微多孔フィルム捲回物。
【請求項２】
表示部と電池セパレータ用微多孔フィルムとが、遮光性または光反射性で異なることを特徴とする、請求項１に記載の電池セパレータ用微多孔フィルム捲回物。
【請求項３】
表示部が、印刷により着色または印字された部位であることを特徴とする、請求項１または２に記載の電池セパレータ用微多孔フィルム捲回物。
【請求項４】
印刷により着色または印字された部位が、インクジェットプリンター、レーザープリンター、マジックマーカーのいずれかの印刷機により着色または印字された部位であることを特徴とする、請求項３に記載の電池セパレータ用微多孔フィルム捲回物。
【請求項５】
表示部が、電池製造ラインにおいて電池セパレータ用微多孔フィルムの端部接近を検知するためのものであることを特徴とする、請求項１〜４のいずれか１項に記載の電池セパレータ用微多孔フィルム。
【請求項６】
電池セパレータ用微多孔フィルムに該電池セパレータ用微多孔フィルムと光学特性が異なる表示部を設けることを特徴とする、電池セパレータ用微多孔フィルム捲回物の製造方法。
【請求項７】
電池セパレータ用微多孔フィルムに該電池セパレータ用微多孔フィルムと遮光性または光反射性が異なる表示部を設けることを特徴とする、請求項６に記載の電池セパレータ用微多孔フィルム捲回物の製造方法。
【請求項８】
表示部を、電池セパレータ用微多孔フィルムの原反ロールを製品ロールに加工するスリット工程の前の工程において作成することを特徴とする、請求項６または７に記載の電池セパレータ用微多孔フィルム捲回物の製造方法。
【請求項９】
表示部を、電池セパレータ用微多孔フィルムの原反ロールを製品ロールに加工するスリット工程において作成することを特徴とする、請求項６または７に記載の電池セパレータ用微多孔フィルム捲回物の製造方法。
【請求項１０】
表示部を、印刷による着色または印字によって設けることを特徴とする、請求項６〜９のいずれか１項に記載の電池セパレータ用微多孔フィルム捲回物の製造方法。
【請求項１１】
表示部を、インクジェットプリンター、レーザープリンター、マジックマーカーのいずれかにより印刷することを特徴とする、請求項１０に記載の電池セパレータ用微多孔フィルム捲回物の製造方法。
【請求項１２】
表示部が、電池製造ラインにおける電池セパレータ用微多孔フィルムの端部接近を検知するためのものであることを特徴とする、請求項６〜１１のいずれか１項に記載の電池セパレータ用微多孔フィルム捲回物の製造方法。
【発明の詳細な説明】
【技術分野】
【０００１】
本発明は、電池セパレータ用微多孔フィルム捲回物とその製造方法に関する。
【背景技術】
【０００２】
電池の部品であるセパレータは、電解質を保持した状態で電池の正極と負極とを隔離する部材である。セパレータを介して正極と負極との間にイオンが伝導することにより電池の充電と放電が行われる。リチウムイオン電池では、セパレータとして微細孔を有する、薄く、柔軟性で、耐熱性のフィルム材が用いられている。リチウムイオン電池では、リチウムイオンがセパレータの微細孔を通って移動することによって充電と放電が行われる。
【０００３】
例えば、リチウムイオン電池を内蔵する種々の電気・電子機器、車両部品の小型化、軽量化に伴い、リチウムイオン電池の高容量化、小型化への要求はますます高くなっており、リチウムイオン電池の各種主要部品には、より薄く小型の電池に適した形状や性状が求められている。そのため、リチウムイオン電池セパレータ材の製造では、原反ロールから様々な長さと幅を有する微多孔フィルムに切り分け巻き取ったものを、製品ロールとして製造している。製品ロールを電池製造ラインで使用する際には、製品ロールの最外部にある端からセパレータ材を繰り出し、電池製造ラインに導入する。製品ロールと電池製造ラインのセパレータ材搬送ラインが連動してセパレータ材を連続的に繰り出す。セパレータ材の繰り出しが進み、製品ロールに残るセパレータ材が少なくなると、セパレータ材搬送ラインの停止や製品ロールの交換などを行うために、セパレータ材繰り出し終了が近づいたことを電池製造ラインで検知する必要がある。そこで、製品ロールの微多孔フィルムの巻き終わり近くには、セパレータ材の終了が接近していることを表示する部位が設けられている（特許文献１）。
【０００４】
このような部位（以下「表示テープ」という）としては遮光性の接着テープが用いられる。通常、幅が2〜３ｃｍ、厚みが数十μｍの接着テープが用いられる。電池組立ラインでは、製品ロールから微多孔フィルムが引き出されて搬送される（図１）。製品ロールの展開が終了間際になると表示テープがセンサーを通過し、製品ロールの巻終わりが近づいたことが検知される（図２）。こうして、製品ロールと搬送ラインの動作が安定している状態で、搬送ベルトの停止や製品ロールの交換などの操作に移行することが可能となる。
【０００５】
電池セパレータ用微多孔フィルムの製造において、原反ロールから製品ロールへの加工工程を一般にスリット工程と呼ぶ。表示テープは原反ロールをスリット工程に搬送する前に微多孔フィルムに貼り付けられる。まず、原反ロールの最外部にある巻き終わり近くに、フィルムの両端間を横切るように、表示テープを貼り付ける（図３）。表示テープが貼り付けられた原反ロールをスリット工程に搬入する。スリット工程では、原反ロールの末端部分から微多孔フィルムを繰り出し、カッターに送る。繰り出された微多孔フィルムは、カッターで所定の幅に切り分けられ、製品ロールの巻芯に巻き付けられる（図４）。そして、所望の長さの微多孔フィルムが製品ロールに巻き取られた時点で微多孔フィルムを切断し、巻き取りを終了する。このスリット工程を経て、表示テープは製品ロールの巻芯近くに巻き取られ、通常は表示テープの外側に、数百メートル以上のセパレータ用微多孔フィルムが巻き取られる（図５）。
【０００６】
表示テープの厚みは通常５０μｍ未満であるが、セパレータ用微多孔フィルムの厚みはさらに薄い。このため、微多孔フィルムの表示テープが貼り付けられた部分だけが特に厚くなり、表示テープ部分が微多孔フィルムの表面から突出する。製品ロールではこの突出部の上に微多孔フィルムがきつく巻き付けられる。その結果、巻き取り長さが数百メートルに至るまで、表示テープの上側に位置する微多孔フィルムに突出部に押し付けられた痕が残る（図６）。
【０００７】
電池組立工程では、より薄型で小型の電池形状に合わせてセパレータ用微多孔フィルムを精密に成形する必要がある。そのような精密な成形にとって、このような表示テープ痕は、好ましくない。そこで、表示テープの厚みを減らす努力がなされているが、例え厚みを最も薄い５μｍ程度にしても、表示テープ貼り付け部分は平坦になり得ず、表示テープ痕を消滅させることは不可能である。表示テープを貼りつける限り、セパレータ材の品質低下は避けられない。しかも、このような極薄の表示テープは特殊品であって、セパレータ材のコストの面から好ましくない。
【０００８】
しかし、表示テープがなければ、製品ロールの微多孔フィルムの残量が僅かであることを検知できず、安定した状態で搬送装置を停止して製品ロールを交換することができない。微多孔フィルムの巻終わりを知らせるための目印は電池組立に必要な部材であって、省略することはできない。
【先行技術文献】
【特許文献】
【０００９】
【特許文献１】特開２００９−２９５５００号公報
【発明の概要】
【発明が解決しようとする課題】
【００１０】
そこで本発明の発明者は、セパレータ用微多孔フィルムに、従来の表示テープと同様の機能を持ちながら微多孔フィルムの表面形状に影響しない目印を付ける手段を探求した。
【課題を解決するための手段】
【００１１】
その結果、スリット工程で原反ロールの最外部にあるセパレータ材の端部近くに、実質的に厚みのない着色あるいは印字された部位を設け、この部位を電池製造ラインにおけるセパレータ材端部の接近を知らせる表示部として利用することより、従来の表示テープの代替が可能であることを見出した。しかも、この印刷をスリット工程設備に設けられている検査部で行う場合には、新たな設備を設けることなく従来の表示テープの代替手段を講じることに成功した。
【００１２】
すなわち本発明は以下のものである。
（１）電池セパレータ用微多孔フィルムにおいて、該電池セパレータ用微多孔フィルムと光学特性の異なる表示部を有することを特徴とする、電池セパレータ用微多孔フィルム捲回物。
（２）表示部と電池セパレータ用微多孔フィルムとが遮光性または光反射性が異なることを特徴とする、（１）に記載の電池セパレータ用微多孔フィルム捲回物。
（３）表示部が、印刷により着色または印字された部位であることを特徴とする、（１）または（２）に記載の電池セパレータ用微多孔フィルム捲回物。
（４）印刷により着色または印字された部位が、インクジェットプリンター、レーザープリンター、マジックマーカーのいずれかの印刷機により着色または印字された部位であることを特徴とする、（３）に記載の電池セパレータ用微多孔フィルム捲回物。
（５）表示部が、電池製造ラインにおいて電池セパレータ用微多孔フィルムの端部接近を検知するためのものであることを特徴とする、（１）〜（３）のいずれか１つに記載の電池セパレータ用微多孔フィルム。
（６）電池セパレータ用微多孔フィルムに該電池セパレータ用微多孔フィルムと光学特性が異なる表示部を設けることを特徴とする、電池セパレータ用微多孔フィルム捲回物の製造方法。
（７）電池セパレータ用微多孔フィルムに該電池セパレータ用微多孔フィルムと遮光性または光反射性が異なる表示部を設けることを特徴とする、（６）に記載の電池セパレータ用微多孔フィルム捲回物の製造方法。
（８）表示部を、電池セパレータ用微多孔フィルムの原反ロールを製品ロールに加工するスリット工程の前の工程において作成することを特徴とする、（６）または（７）に記載の電池セパレータ用微多孔フィルム捲回物の製造方法。
（９）表示部を、電池セパレータ用微多孔フィルムの原反ロールを製品ロールに加工するスリット工程において作成することを特徴とする、（６）または（７）に記載の電池セパレータ用微多孔フィルム捲回物の製造方法。
（１０）表示部を、印刷による着色または印字によって設けることを特徴とする、（６）〜（９）のいずれか１つに記載の電池セパレータ用微多孔フィルム捲回物の製造方法。
（１１）表示部を、インクジェットプリンター、レーザープリンター、マジックマーカーのいずれかにより印刷することを特徴とする、（１０）に記載の電池セパレータ用微多孔フィルム捲回物の製造方法。
（１２）表示部が、電池製造ラインにおける電池セパレータ用微多孔フィルムの端部接近を検知するためのものであることを特徴とする、（６）〜（１１）のいずれか１つに記載の電池セパレータ用微多孔フィルム捲回物の製造方法。
【図面の簡単な説明】
【００１３】
【図１】電池組立ラインにおける製品ロールの展開とセパレータ材の走行を模式的に示す。走行面を横から見た模式図である。矢印はセパレータ材の走行の向きを示す。微多孔フィルムの多くが製品ロールに残っており、表示テープは製品ロールの巻芯近くにあって、未だ展開されていない状態を示す。
【図２】電池組立ラインにおける製品ロールの展開とセパレータ材の走行を模式的に示す。走行面を横から見た模式図である。矢印はセパレータ材の走行の向きを示す。製品ロールに残る微多孔フィルムが僅かとなって、表示テープが搬送ライン上のセンサーを通過し、センサー光が表示テープで遮られる状態を示す。
【図３】原反ロールの外側の端部に貼りつけられた表示テープを示す。
【図４】原反ロールをカッターで切断し、製品ロールに巻き取る様子を示す。
【図５】表示テープを有する製品ロールの断面の一部を模式的に示す。
【図６】製品ロールに巻き取られたセパレータ用微多孔フィルムに表示テープの痕がつく様子を模式的に示す。
【図７】表示部の印刷例。（ａ）全面を着色。（ｂ）点模様。（ｃ）縞模様。（ｄ）壁紙のような模様。
【図８】検査部を有するスリット工程ラインを模式的に示す。表示部の例。表示部全面を着色した場合。
【図９】表示部を有する製品ロールの断面の一部を模式的に示す。
【図１０】電池製造ラインにおける表示部の走行を模式的に示す。表示部が検出機に向かって走行している。
【図１１】電池製造ラインにおける表示部の走行を模式的に示す。表示部が検出機を通過している。
【発明を実施するための形態】
【００１４】
（電池セパレータ用微多孔フィルム捲回物）
電池セパレータ用微多孔フィルム捲回物は、電池セパレータ用微多孔フィルムにおいて、電池セパレータ用微多孔フィルムと光学特性の異なる表示部を有する。
【００１５】
（微多孔フィルム）
本発明の表示部が付されるセパレータ用微多孔フィルムは、従来用いられているものであれば、何れであってもよい。代表的な微多孔フィルムは、有機溶媒系の電解質との接触に適しており、低コストで製造できる、ポリオレフィン系微多孔フィルムである。ポリオレフィン系微多孔フィルムの製造方法としては、２つの方法が知られている。一つは、湿式法、すなわち、溶剤に溶かしたポリオレフィンを薄膜化した後に溶剤を除去して空隙を生成する方法である。もう一つは、乾式法、すなわち、ポリオレフィン材料を延伸することによってポリオレフィン内部の界面やポリオレフィン材料を構成する成分相間に空隙を生成する方法である。溶剤を使用せず、幅の広い原反ロールを製造できる点では、乾式法が有利とされている。しかし、いずれの方法により製造されたセパレータ用微多孔フィルムの原反ロールであっても、印刷性にほとんど差はない。したがって、本発明では、いずれの方法により製造されたセパレータ用微多孔フィルムの原反ロールも使用することができる。本発明のセパレータ用微多孔フィルム捲回物の製造方法は、原反ロールに表示部を設ける部分を特徴としている。本発明のセパレータ用微多孔フィルム捲回物の製造方法において、原反ロール製造までの工程は制限されない。
【００１６】
（原反ロールの製造例）
以下に、セパレータ用微多孔フィルムの原反ロールの製造例として、ポリプロピレン系重合体を原料として用いた乾式法を示す。プロピレン系重合体としては、ポリプロピレンホモポリマーあるいは微量のエチレン単位を含有するポリプロピレンコポリマーを含むポリプロピレン系重合体が好ましく用いられる。ポリプロピレン系重合体からなるセパレータ用微多孔フィルムの原反ロールは、典型的には、以下の方法で製造される。まず、押出機にポリプロピレン系重合体を含む原料を投入し、溶融混練し、ダイから押出す。押出しフィルムを冷却して無孔の延伸用原反を得る。
【００１７】
次に、延伸用原反を、予備的に原料の融点より低い温度で熱処理する。そして、熱処理された延伸用原反を低温で延伸する（冷温延伸）。この場合、延伸温度としては１５〜３５℃が好ましい。延伸倍率は、１倍を超え２．５倍以下が好ましい。さらに、冷温延伸された原反を、高温で延伸する（高温延伸）。この場合、延伸温度としては、原料の融点より３０℃低い温度以上で原料の融点より５℃低い温度以下の温度が好ましい。延伸倍率は、１．５〜３．５倍が好ましい。上述の冷温延伸と高温延伸を経て、ポリプロピレン系重合体フィルムに孔が生成する。
【００１８】
最後に、得られた多孔性ポリプロピレン重合体フィルムを緩和処理する。緩和処理は、原料の融点より３０℃低い温度以上で原料の融点より５℃低い温度以下の温度で、それぞれに回転速度が設定された複数のロールでフィルムを搬送する。緩和処理によりフィルムに発生した空孔が安定化し、フィルムのシワ発生が抑えられる。こうして、原反ロールが完成する。
【００１９】
（表示部の作成）
本発明の電池セパレータ用微多孔フィルム捲回物の表示部は、電池製造ラインの光学センサーによって、他の部位すなわち表示部のないセパレータ用微多孔フィルム（セパレータ材）と異なる部位と認識される部位である。そのような認識がなされるために、表示部とセパレータ材の光学的特性が光学センサーで識別できる程度の差異を有する必要がある。例えば、透過型光学センサーを用いる場合、セパレータ材は通常は可視光の透過性が比較的高いので、可視光の遮光性を高めるような着色や印字をした部分を表示部として利用することができる。また、反射型光学センサーを用いる場合、セパレータ材の表面状態とは異なる反射性（平滑な表面による高反射性、または、特定波長の吸収による低反射性）となる着色や印字をした部分を表示部として利用することができる。このような、一般的に用いられている光学センサーが検知できる表示部は、印刷機を用いた着色や印字によって、効率よく作成することができる。
印刷機の種類は限定されないが、フィルム状の材料に印刷する手段として一般的な、インクジェットプリンター、レーザープリンターが好ましい。また、ペン状のヘッドを直接フィルム面に接触させるマジックマーカー型の着色・印字装置も使用することができる。
【００２０】
表示部の位置は、原反フィルムの最外部に位置するセパレータ材端部から、２〜５ｍ隔たった地点である。表示部は、この地点にフィルムの左右端にわたり、フィルム長手方向に０．５〜５ｃｍの幅で着色あるいは印字された区画である。着色あるいは印字の色は、前述の光学特性の差別化ができるものであれば、制限がない。着色や印字の模様も、上記光学特性の差別化ができるものであれば、制限がない。
【００２１】
現在用いられている一般的な電池製造ラインの光学センサーは、光不透過性または反射性の変化により、表示テープの通過を検知している。現行の光学センサーでも検知できる表示部を用いると、現行の電池製造ラインの改変の必要がなく、コスト面で有利である。この場合、表示部の着色あるいは印字に用いる色は黒、濃紺、濃緑などの遮光性の高い色や、セパレータ材と反射性が異なる色が好ましい。またこの場合、表示部位全体を着色してもよく、表示部全体に模様を印刷してもよい。模様は点模様、線模様など、表示部全体で遮光性、または異なる反射性が確保できるものであれば、いかなるものであってもよい（図７（ａ）（ｂ）（ｃ）（ｄ））。模様の向きは、セパレータ材の幅方向、長さ方向、斜め方向など、いずれの向きに沿っていてもよい。着色や印字が表示部全体で均一であってもよく、また、例えばグラデーション着色のように不均一であってもよい。模様を、記号や数字、文字、これらの組合せで構成してもよい。
【００２２】
表示部作成の後、速やかにセパレータ材を次の加工工程で利用できるように、着色あるいは印字に用いるインクや着色材としては、速乾性のものが好ましい。
【００２３】
本発明では、原反ロールをスリット工程に搬送する前に、予め表示部を作成することができる。すなわち、原反ロールの最外部からセパレータ材を展開し、スリット工程ラインの手前に設置した、インクジェットプリンターなどの着色・印字装置に導入する。所定の部位に上述の方法で表示部を作成する。表示部が設けられた原反ロールを、スリット工程に導入する。
【００２４】
（スリット工程）
スリット工程は、本来は、原反ロールの幅と長さを、セパレータ材が利用される電池製品に合わせて調節する程である。スリット工程ラインには、カッター、巻き取り装置が設けられており、原反ロールから繰り出されたセパレータ材は、カッターで狭い幅に切断され、巻き取り装置で製品ロール用の新たな巻芯に巻かれる。本発明では、表示部を有さない原反ロールを直ちにスリット工程に導入し、スリット工程ライン内に設けられたインクジェットプリンターなどの着色・印字装置で表示部位を作成することもできる。例えば、セパレータ材の搬送路上、カッターの手前に着色・印字装置を取り付け、表示部の作成と切断を連続して行うことができる。
【００２５】
スリット工程ラインのはじめにセパレータ材の検査部が設けられており、検査部に微多孔フィルムの表面の欠陥部を検出する検出機と、検出された欠陥部にマーキングする印刷機が設置されている場合には、検査と同時に表示部を作成することができる（図８）。原反ロールからセパレータ材を繰り出して検査部に走行させ、原反ロールの最外部に位置していたセパレータ材端部からこれに続くセパレータ材を、検出機に導入する。検出機を経たセパレータ材は、印刷機に向かって走行する。検出機で欠陥が発見された場合には、印刷機で欠陥部位に着色される。検出機で欠陥が発見されなかった部分は、そのまま印刷機を通過する。ただし、表示部が作成される上述の所定の部位が印刷機を通過する際に、印刷機で上述の着色・印字方法によって、表示部が作成される。印刷機には、欠陥のマーキングとは別に、表示部の着色・印字のための動作が設定されている。表示部の作成が終わると、表示部に続いて連続的に印刷機に導入されるセパレータ材に対して、印刷機は欠陥のマーキングだけを行う。
【００２６】
検査部の前に、クリーナー部を設け、表面の異物が除去されたセパレータ材を検査部に搬送することもできる。
【００２７】
こうして、スリット工程ラインのカッターに達する前に、セパレータ材に表示部が設けられる。検査部を通過したセパレータ材は、カッターに向かって走行する。カッターで幅が調節されたセパレータ材は、巻き取り部に向かって走行する。巻き取り部には、製品ロール用の新たな巻芯が置かれている。原反ロールの最外部にあったセパレータ材の端部が最初に新たな巻芯に到達し、巻かれる。続いて表示部が巻かれる。新たな巻芯に所定の長さのセパレータ材が巻かれると、セパレータ材は切断され、巻き取りが完了する。通常、製品ロールには数百メートル以上のセパレータ材が巻かれている。
【００２８】
（製品ロールの完成）
こうして、製品ロールが完成する。表示部は製品ロールの巻芯近くに位置している。表示部は実質的に厚みがないから、表示部を有するセパレータ材の部分と、表示部を有さないセパレータ材の部分とでは、厚みは同じである。製品ロールでは、表示部に重なるように、数百メートル以上のセパレータ材が巻かれている。表示部は実質的に厚みがないから、表示部を有するセパレータ材の部分と、表示部を有さないセパレータ材の部分とでは、厚みは同じである。したがって、表示部に重なるセパレータ材に痕が付かない（図９）。完成した製品ロールは梱包され、出荷される。
【００２９】
（電池製造）
製品ロールは電池組立ラインで電池製造に利用される。製品ロールの外側の端部からセパレータ材が展開され、搬送される。微多孔フィルムの展開が進行し、セパレータ材の残りが少なくなると、巻芯近くの表示部が展開され、搬送ライン上のセンサーに向かって走行する（図１０）。表示部が光センサーを通過すると（図１１）、セパレータ材の光学的特性の変化が検知され、セパレータ材の残りが僅かであることを知らせる信号が搬送ラインに送られる。この信号を受けた搬送ラインでは、搬送停止、製品ロールの交換などの、所定の操作が行われる。このように、電池製造において、本発明の表示部は従来の表示テープと同等の機能を発揮する。
【００３０】
（原反ロールの製造）
以下の工程で、ポリプロピレン製セパレータ用微多孔フィルムの原反ロールを製造した。
【００３１】
２軸押出機とＴダイを使用し、ＭＦＲ０．５（ＪＩＳ  K７２１０）、分子量分布（Ｍｗ／Ｍｎ）が１０、融点１６３℃のホモポリプロピレンを２１０℃で溶融押し出しした。無孔原反ロールはドラフト比３２で冷却ロールに導かれた後、巻き取られた。得られた無孔原反ロールをオーブンで熱処理後、延伸機で２７℃に制御された温度条件下で長さ方向に約１．１倍になるように冷延伸し、次いで１５５℃に制御された熱延伸槽で長さ方向に２．５倍に熱延伸した。その後１２０℃で２０％緩和することで微多孔フィルムを得た。緩和工程を経た微多孔フィルムは、幅８００ｍｍ、長さ１２００ｍの原反ロールとして巻き取られた。
【実施例】
【００３２】
実施例１
原反ロールをスリット工程ラインに運び、端部から微多孔フィルムを繰り出してクリーナーを経て検査部に搬送した。検査部には、ＣＣＤカメラでセパレータ材表面の欠陥を検出する検出機と、検出機で発見した欠陥部に着色するインクジェットプリンターが設置されている。検査部のインクジェットプリンターには、欠陥部に印刷する動作と共に、表示部の印刷動作もプログラムされている。このインクジェットプリンターで微多孔フィルムの端部から３ｍを経た部分に表示部を印刷した。印刷パターンは、微多孔フィルムの左右端部を横切る幅３ｃｍの帯状区画に、１平方センチメートル当たり１００個の間隔で表示された黒点パターンである。つまり、この帯状区画は、微多孔フィルムの、端部から３００ｃｍ隔たった位置から端部から３０３ｃｍ隔たった位置までの部分である。表示部は人の目には黒い帯に見える。表示部に続いて検査部に導入されるセパレータ材には、欠陥の検出と表示のみを行った。
【００３３】
検査部を通過した原反ロールはカッターに送られ、分割された後、製品ロール用の巻芯に巻き取られた。原反ロールは、幅と長さが整えられて、幅２００ｍｍ、長さ６００ｍの製品ロールに加工された。こうして本発明の電池セパレータ用微多孔フィルム捲回物が得られた。
【００３４】
製品ロールを電池組立ラインに搬送し、微多孔フィルムを展開させて、組立ライン上に走行させた。走行する微多孔フィルムを目視で観察したところ、表示部の痕は見られなかった。フィルム残りが少なくなって、表示部が光センサーを通過すると、光センサーで表示部が検知された。
【００３５】
実施例２
表示部を、微多孔フィルムの左右端部を横切る幅２ｃｍの帯状区画に、１平方センチメートル当たり４００個の間隔で表示された黒点パターンとした点以外は実施例１と同じ条件で製品ロールを製造した。製品ロールを電池組立ラインに搬送し、微多孔フィルムを展開させて、組立ライン上に走行させた。走行する微多孔フィルムを目視で観察したところ、表示部の痕は見られなかった。フィルム残りが少なくなって、表示部が光センサーを通過すると、光センサーで表示部が検知された。
【００３６】
実施例３
表示部を、微多孔フィルムの左右端部を横切る幅０．５ｃｍの帯状区画の全体を黒色インクで着色したものとした点以外は実施例１と同じ条件で製品ロールを製造した。製品ロールを電池組立ラインに搬送し、微多孔フィルムを展開させて、組立ライン上に走行させた。走行する微多孔フィルムを目視で観察したところ、表示部の痕は見られなかった。フィルム残りが少なくなって、表示部が光センサーを通過すると、光センサーで表示部が検知された。
【００３７】
実施例４
表示部を、微多孔フィルムの左右端部を横切る幅２ｃｍの帯状区画の全体を黒色インクで着色したものとした点以外は実施例１と同じ条件で製品ロールを製造した。製品ロールを電池組立ラインに搬送し、微多孔フィルムを展開させて、組立ライン上に走行させた。走行する微多孔フィルムを目視で観察したところ、表示部の痕は見られなかった。フィルム残りが少なくなって、表示部が光センサーを通過すると、光センサーで表示部が検知された。
【００３８】
実施例５
表示部を、微多孔フィルムの左右端部を横切る幅３ｃｍの帯状区画の全体を黒色インクで着色したものとした点以外は実施例１と同じ条件で製品ロールを製造した。製品ロールを電池組立ラインに搬送し、微多孔フィルムを展開させて、組立ライン上に走行させた。走行する微多孔フィルムを目視で観察したところ、表示部の痕は見られなかった。フィルム残りが少なくなって、表示部が光センサーを通過すると、光センサーで表示部が検知された。
【産業上の利用可能性】
【００３９】
本発明によって、セパレータ用微多孔フィルムでは避けることができないと考えられていた、表示テープ痕の問題を解消することができた。本発明によって、セパレータ材とそれを用いる電池の品質を向上することができる。本発明では表示テープを使用せず、しかも、既に製造ラインに備えられた印刷機を用いて表示テープに代わる表示部を設けることができるから、セパレータ製造コストを低減することができる。
【符号の説明】
【００４０】
１  製品ロール
２  表示テープ
３  セパレータ材
４  光センサー（発光部）
５  光センサー（受光部）
６  センサー光（セパレータ材に照射される）
７  センサー光（セパレータ材を透過する）
８  原反ロール
９  原反ロールのセパレータ材端部（最外部の端部）
１０  カッター
１１  製品ロール
１２  製品ロールの巻芯
１３  製品ロールのセパレータ材端部（最外部の端部）
１４  セパレータ材に生じる表示テープの痕
１５  検査機（照明）
１６  検査機（ＣＣＤカメラ）
１７  印刷機
１８  表示部（印刷された部分）
【図１】
2016029615.tif 000003
【図２】
2016029615.tif 000004
【図３】
2016029615.tif 000005
【図４】
2016029615.tif 000006
【図５】
2016029615.tif 000007
【図６】
2016029615.tif 000008
【図７】
2016029615.tif 000009
【図８】
2016029615.tif 000010
【図９】
2016029615.tif 000011
【図１０】
2016029615.tif 000012
【図１１】
2016029615.tif 000013